(57)【要約】【課題】  戸先側が下がるように扉が変形しようとするのをパネルで抑制でき、尚且つパネルが熱膨張によって割れるのを防止できる扉の提供。【解決手段】  パネル１と、パネルの戸先側端部に配置した戸先側付子２と、パネルの吊元側端部に配置した吊元側付子３と、パネルと付子とを止めている固着具１１と、戸先側付子を呑み込む戸先側竪框４と、吊元側付子を呑み込む吊元側竪框５と、戸先側竪框及び吊元側竪框に固着してあると共にパネルの上端部及び下端部をそれぞれ呑み込む上框６及び下框７とを備え、パネルは、戸先側上部に略水平方向に設けた長孔８ａと、戸先側下部に斜め方向に設けた長孔８ｂと、吊元側上部に設けた孔９と、吊元側下部に略垂直方向に設けた長孔８ｃとを有し、且つ上端が上框の下面に当接しており、戸先側付子と吊元側付子は、上部と下部に固着具挿通孔１０を有し、戸先側竪框と吊元側竪框にそれぞれ固着してあり、固着具１１は、その軸部が付子の固着具挿通孔１０とパネルの長孔８ａ，８ｂ，８ｃないし孔９を貫通し、上下方向移動が規制されていることを特徴とする。【選択図】      図１（ａ）（ｂ）
2005256557.tif 000002
【特許請求の範囲】
【請求項１】
パネルと、パネルの戸先側端部に配置した戸先側付子と、パネルの吊元側端部に配置した吊元側付子と、パネルと付子とを止めている固着具と、戸先側付子を呑み込む戸先側竪框と、吊元側付子を呑み込む吊元側竪框と、戸先側竪框及び吊元側竪框に固着してあると共にパネルの上端部及び下端部をそれぞれ呑み込む上框及び下框とを備え、パネルは、戸先側上部に略水平方向に設けた長孔と、戸先側下部に斜め方向に設けた長孔と、吊元側上部に設けた孔と、吊元側下部に略垂直方向に設けた長孔とを有し、且つ上端が上框の下面に当接しており、戸先側付子と吊元側付子は、上部と下部に固着具挿通孔を有し、戸先側竪框と吊元側竪框にそれぞれ固着してあり、固着具は、その軸部が付子の固着具挿通孔とパネルの長孔ないし孔を貫通し、上下方向移動が規制されていることを特徴とする扉。
【発明の詳細な説明】
【技術分野】
【０００１】
本発明は、框材を方形に組んだ枠内にパネルを保持した扉に関するものである。
【背景技術】
【０００２】
従来の扉には、縦横の框材を方形に組んだ枠内に樹脂やガラスのパネルを組み込んだものがある。一般にパネルは、周縁部が各框材の内周側に形成した溝にゴム質の部材を介在して支持してあり、そのゴム質の部材でパネルの熱膨張、衝撃等を吸収し、パネルが割れるのを防いでいる。またパネルは、下框の溝底に設置したセッティングブロック上に載置され、パネルの重量を下框に持たせている。
【０００３】
扉は、一方側の竪框を蝶番等により柱に取付けて片持ちの状態で設置される。そのため扉は、その自重や、開閉操作のためなどに手を掛けるなどして鉛直方向に荷重を加えることによって、戸先側が下がるように変形しようとする。上記の様に、パネルの重量を下框に持たせ、パネル周縁部をゴム質の部材を介して框の内周溝に保持したものでは、扉がそのように変形しようとするのに対して、パネルはなんら抵抗しない。一方、特許文献１に記載されているように、パネルの外周を框の内周に当接した場合には、そのような扉の変形に対してパネルが抵抗するものの、パネルの熱膨張を吸収できずにパネルが割れるおそれがある。
【特許文献１】特開２００１−２４１２７１号公報
【発明の開示】
【発明が解決しようとする課題】
【０００４】
本発明は以上に述べた実情に鑑みてなされたものであって、戸先側が下がるように扉が変形しようとするのをパネルで抑制でき、尚且つパネルが熱膨張によって割れるのを防止できる扉の提供を目的とする。
【課題を解決するための手段】
【０００５】
上記課題を達成するために本発明の扉は、パネルと、パネルの戸先側端部に配置した戸先側付子と、パネルの吊元側端部に配置した吊元側付子と、パネルと付子とを止めている固着具と、戸先側付子を呑み込む戸先側竪框と、吊元側付子を呑み込む吊元側竪框と、戸先側竪框及び吊元側竪框に固着してあると共にパネルの上端部及び下端部をそれぞれ呑み込む上框及び下框とを備え、パネルは、戸先側上部に略水平方向に設けた長孔と、戸先側下部に斜め方向に設けた長孔と、吊元側上部に設けた孔と、吊元側下部に略垂直方向に設けた長孔とを有し、且つ上端が上框の下面に当接しており、戸先側付子と吊元側付子は、上部と下部に固着具挿通孔を有し、戸先側竪框と吊元側竪框にそれぞれ固着してあり、固着具は、その軸部が付子の固着具挿通孔とパネルの長孔ないし孔を貫通し、上下方向移動が規制されていることを特徴とする。パネルの戸先側と吊元側の上部と下部に設けられる長孔ないし孔は、それぞれ一つずつであってもよいが、上下に間隔を置いて複数設けてもよく、それに対応して付子に固着具挿通孔を設ける。固着具挿通孔は、固着具の上下方向移動を規制し得る形状であればよい。固着具としては、ボルト・ナットやリベット等を用いることができる。
【発明の効果】
【０００６】
本発明の扉は、パネルの吊元側上部が吊元側付子に固着具で固定され、パネルの戸先側上部が略水平方向の長孔に固着具の軸部を挿通して、上下方向の動きを規制して戸先側付子に止められ、戸先側付子を戸先側竪框に、吊元側付子を吊元側竪框にそれぞれ固着してあるので、パネルの両側端部が両竪框に対して上下にずれないように保持されることとなり、尚且つパネルの上端が上框の下面に当接しているので、扉の自重や、開閉操作時などに扉に掛かる鉛直荷重によって、戸先側が下がるように扉が変形しようとするのをパネルが支え、扉の変形を効果的に抑制できる。しかもパネルは、付子に止めるための固着具の挿通孔が、吊元側上部が孔で、他の３箇所がパネルの熱膨張を許容できるように長孔となっているため、熱膨張によるパネルの割れを防止できる。
【発明を実施するための最良の形態】
【０００７】
以下、本発明の実施の形態を図面に基づいて説明する。図４は、本発明に係る扉を用いた門扉の正面図であり、図１は、該門扉の扉（右側のもの）の、組立前の分解した状態を示す平面図と正面図であり、図２は、同扉の戸先側の部分の横断面図であり、図３は同扉の縦断面図である。扉１２は、戸先側竪框４、吊元側竪框５、上框６、下框７が方形に枠組みされ、その枠内にアクリル製のパネル１を保持しており、吊元側竪框５に設けた蝶番１３で支柱１４に回動自在に取付けられている。扉の戸先側竪框４には、左右の扉１２を閉鎖状態に保持するための錠１５を備えている。各框材は、アルミニウム合金の押出形材を使用している。
【０００８】
パネル１は、図１及び図２に示すように、戸先側端部と吊元側端部に、戸先側付子２と吊元側付子３をそれぞれ配置し、パネル１の戸先側と吊元側の上部と下部を付子２，３にボルト１１とナット１６を用いて止めてある。パネル１の、前記ボルト１１の軸部を挿通するための孔は、図１（ｂ）に示すように、戸先側上部のものは水平方向の長孔８ａとなっており、戸先側下部のものは、略対角線状の斜め方向の長孔８ｂとなっており、吊元側上部のものは軸部を挿通できるだけの丸孔９となっており、吊元側下部のものは垂直方向の長孔８ｃとなっている。各部の長孔８ａ，８ｂ，８ｃ及び丸孔９は、上下に間隔をおいて三つずつ設けてある。
【０００９】
戸先側付子２と吊元側付子３は同じもので、それぞれがパネル１の前面側に当接する断面略Ｌ字状の前側部材２ａ，３ａと、パネル１の後面側に当接する断面略Ｌ字状の後側部材２ｂ，３ｂの二部材を組合わせて溝形に構成してある。前側部材２ａ，３ａと後側部材２ｂ，３ｂは、それぞれパネルへの当接片１７と、互いに重合する重合片１８とを有しており、各当接片１７にはパネル１の長孔８ａ，８ｂ，８ｃ及び丸孔９の中心に対応した高さ位置にボルト挿通孔１０を設けてあり、前側部材２ａ，３ａの重合片１８には、付子を竪框に固定するためのビス１９の挿通孔が開けられ、後側部材２ｂ，３ｂの重合片１８には当該ビス１９が螺合する雌ネジ孔が開けてある。さらに各当接片には、竪框との係止部２０ａ，２０ｂを外側に突出して形成してある。ボルト１１は、付子のボルト挿通孔１０とパネル１の長孔８ａ，８ｂ，８ｃないし丸孔９を貫通し、ボルト挿通孔１０の上下縁に当接して上下方向移動が規制されている。パネル１の側端面と内側の重合片１８との間には隙間を有している。
【００１０】
戸先側竪框４は、内周側に戸先側付子２を長手方向にスライド自在に嵌合する呑み込み部２１を備えており、該呑み込み部に収容した戸先側付子２は、外周側から挿入したビス１９により呑み込み部２１に固定してある。吊元側竪框５は戸先側竪框４と同一の断面形状となっており、同じように内周側に吊元側付子３の呑み込み部２１を備え、該呑み込み部２１に吊元側付子３を収容してビス１９で固定してある。戸先側竪框４と吊元側竪框５の上端部と下端部には、キャップ２２を取り付けてある。
【００１１】
上框６は、図３に示すように、内周側にパネル呑み込み部２３を有し、断面の略中央に横リブ２４を有している。パネル１の上端面は、横リブ２４の下面に当接している。下框７は上框６と同一の断面形状となっており、パネル呑み込み部２３にパネル１の下端部を呑み込ませてある。パネル１の下面と横リブ２４との間には隙間を設けてある。上框６は、戸先側竪框４と吊元側竪框５の上部の内周側面に切り欠きを設けて両側の端部を呑み込ませ、端面を両竪框内部のリブ２５に突き当てた状態でビス２６によりネジ止めしてある。下框７も、同じように両端部を戸先側竪框４と吊元側竪框５の下部にそれぞれ呑み込ませ、ビス２６で両竪框に固定してある。
【００１２】
本扉を組立てる際の手順を述べると、まずパネル１の側端部に戸先側付子２と吊元側付子３をあてがい、付子のボルト挿通孔１０とパネル１の長孔８ａ，８ｂ，８ｃないし丸孔９にボルト１１の軸部を貫通させ、その先端にナット１６を螺合させて付子２，３とパネル１とを止める。次に、戸先側付子２を戸先側竪框４の呑み込み部２１に、長手方向の端部から挿入して収容し、戸先側付子２を戸先側竪框４にビス１９で固定する。吊元側竪框５も、同じように長手方向端部の開口から呑み込み部２１に吊元側付子３を収容してビス１９で固定する。次に、上框６と下框７を両竪框４，５の上部と下部にそれぞれ渡してビス２６で固定する。最後に、両竪框の上端部と下端部にキャップ２２を取付けて竪框端部の開口を塞ぐ。
【００１３】
以上のように構成した扉１２は、パネル１の吊元側上部が吊元側付子３にボルト１１・ナット１６で固定され、パネル１の戸先側上部が略水平方向の長孔８ａにボルト１１の軸部を挿通し、上下方向の動きを規制して戸先側付子２に止められ、戸先側付子２を戸先側竪框４に、吊元側付子３を吊元側竪框５にそれぞれビス１９で固定してあるので、パネル１の両側端部が両竪框４，５に対して上下にずれないように保持され、尚且つパネル１の上端が上框６の横リブ２４の下面に当接していることから、扉の自重や、開閉操作時などに扉に掛かる鉛直荷重によって、戸先側が下がるように扉１２が変形しようとするのをパネル１が支え、戸先側竪框４が吊元側竪框５に対して下方に移動するのを防ぎ、扉１２の変形を効果的に抑制できる。しかもパネル１は、付子２，３に止めるためのボルト１１の挿通孔が、吊元側上部が丸孔９で、他の３箇所がパネルの熱膨張を許容できるように長孔８ａ，８ｂ，８ｃとなっているため、太陽熱によりパネル１が大きく熱膨張しても割れが発生しない。
【００１４】
本発明は、以上に述べた実施形態に限定されるものではなく、発明の範囲内で種々の変更を行い得る。本発明の扉は、パネルに樹脂製パネルを用い、屋外に、又は屋外に面して設置する場合に特に効果的であるが、パネルはアルミ等の金属や木材など他の材質であってもよいし、室内に設置する扉にも本発明を適用できる。
【図面の簡単な説明】
【００１５】
【図１（ａ）（ｂ）】（ａ）は本発明の扉の一部を分解した状態で示す平面図であり、（ｂ）は同正面図である。
【図２】本発明の扉の横断面図である。
【図３】本発明の扉の縦断面図である。
【図４】本発明による扉を使用した門扉の正面図である。
【符号の説明】
【００１６】
１  パネル
２  戸先側付子
３  吊元側付子
４  戸先側竪框
５  吊元側竪框
６  上框
７  下框
８ａ，８ｂ，８ｃ  長孔
９  丸孔（孔）
１０  ボルト挿通孔（固着具挿通孔）
１１  ボルト（固着具）
【図１（ａ）（ｂ）】
2005256557.tif 000003
【図２】
2005256557.tif 000004
【図３】
2005256557.tif 000005
【図４】
2005256557.tif 000006